(57)【要約】      （修正有）【課題】底貼り袋の両底面の端部における強度を高め、破袋の発生を抑制する底貼り袋を提供する。【解決手段】筒状の袋本体１の上下開口端部のうち少なくとも一方の開口端部を折り曲げて形成した底面２，３に長方形状または略長方形状の補強紙５を貼着してなる底貼り袋である。補強紙５は、底面２，３の短手方向の幅Ｄよりも広い幅を有する長方形状または略長方形状の補強紙である。補強紙５は、底面２，３から袋本体１の側面１３に延設して貼着される。【選択図】図１
0003188561.tif 000002
【実用新案登録請求の範囲】
【請求項１】
筒状の袋本体の上下開口端部のうち少なくとも一方の開口端部を折り曲げて形成した底面に長方形状または略長方形状の補強紙を貼着してなる底貼り袋において、前記補強紙は、前記底面の短手方向の幅よりも広い幅を有する長方形状または略長方形状の補強紙であって、前記底面から前記袋本体の側面に延設して貼着されることを特徴とする底貼り袋。
【考案の詳細な説明】
【技術分野】
【０００１】本考案は、小麦粉やセメント等の粉体を収納する底貼り袋に関するものである。
【背景技術】
【０００２】小麦粉やセメント等の粉体を収納する紙袋には、両底貼り袋と呼ばれるものがある。【０００３】これに対してオープン袋は、粉体の充填時に原則的に袋下部が閉じられているとともに袋上部が全て開口されており、その袋上部の開口部に真上から内容物を落下させて充填を行う。その後、開口部をミシン掛け、オーバーテープ等にて封緘する。【０００４】両底貼り袋は、図７に示すように、袋本体１の上下に底面２、３を形成し、一方の底面２にバルブ４を、挿入口４ａが開口するように形成する。そして、バルブ４の挿入口４ａに図示しない吹込管（ノズル）を挿入して、吹込管を介して挿入口４ａより袋本体１内に粉体を充填する。粉体が充填された後は、たとえばホットメルトの加熱によって挿入口４ａが封緘される。両底貼り袋は、密封状態を保ちながら粉体の袋詰が可能である。またオープン袋では必要となる充填後の立上りを要せず内容物を袋一杯まで充填できるため、粉体の充填後は、内容物の内圧によって袋荷姿が安定する。また吹込管等のノズル式の専用充填機があれば袋詰作業は基本的に完結し、袋本体１に対するミシン掛け等、袋詰の次工程が不要となる。よって、両底貼り袋は、粉体の包装用として袋荷姿、ハンドリング性、積付効率の点でオープン袋に比較して優れている。【０００５】両底貼り袋の底面２、３には、底面２、３の強度を確保するために、それぞれ補強紙５、５が貼られている。【０００６】下記特許文献１には、粉体包装用紙袋において、補強紙５に相当する封紙を底面の四囲より大きく形成すると共に、その突出周縁部を筒状袋本体の前後側面及び左右側面にそれぞれ接着剤を介して接着するという考案が記載されている。
【先行技術文献】
【特許文献】
【０００７】
【特許文献１】実用新案登録第３０５６７２４号
【考案の概要】
【考案が解決しようとする課題】
【０００８】図８に示すように、内容物が充填され封緘された従来の両底貼り袋は、水平または側面方向に落下した際に、主として両底面２、３の端部に破れが生じ破袋が発生しやすい。この原因としては内容物による内圧の力が両底面２、３の端部に逃げやすいためと考えられる。【０００９】そこで、本考案は、底貼り袋の底面の端部における強度を高め、破袋の発生を抑制することを課題とするものである。【００１０】なお、上記特許文献１に記載された考案は、収容される粉体が袋本体から漏洩することを目的とするものであり、破袋の発生の抑制を目的とするものではない。
【課題を解決するための手段】
【００１１】本考案は、筒状の袋本体の上下開口端部のうち少なくとも一方の開口端部を折り曲げて形成した底面に長方形状または略長方形状の補強紙を貼着してなる底貼り袋において、【００１２】前記補強紙は、前記底面の短手方向の幅よりも広い幅を有する長方形状または略長方形状の補強紙であって、前記底面から前記袋本体の側面に延設して貼着されることを特徴とする。
【考案の効果】
【００１３】本考案によれば、底貼り袋の底面の端部における強度が高められ、破袋の発生が抑制される。
【図面の簡単な説明】
【００１４】
【図１】は、実施例の両底紙袋の全体構成図である。
【図２】（ａ）、（ｂ）、（ｃ）は、実施例の両底紙袋の製造工程および構造を示す図である。
【図３】（ａ）、（ｂ）、（ｃ）は、実施例の両底紙袋の製造工程および構造を示す図である。
【図４】は、実施例の両底紙袋に内容物が充填された状態を示す図で、上下開口端部を示す斜視図である。
【図５】（ａ）、（ｂ）は、他の実施例の両底紙袋の製造工程の一部を説明する図である。
【図６】（ａ）、（ｂ）は、更に他の実施例の両底紙袋の製造工程の一部を説明する図である。
【図７】は、従来の両底紙袋の全体構成図である。
【図８】は、従来の両底紙袋に内容物が充填された状態を示す図で、上下開口端部を示す斜視図である。
【考案を実施するための形態】
【００１５】以下では、底貼り袋として両底貼り袋を例にとり説明する。しかし、本考案は、片底貼り袋にも適用することができる。
【００１６】図１は、本実施例の両底貼り袋の全体構成を示す。
【００１７】図１中の上方向を袋本体１の上方向、図中の下方向を袋本体１の下方向と定義する。
【００１８】また以下では紙（たとえばクラフト紙）の貼着は、剥離糊、強接着剤等を使用して行うことができる。
【００１９】袋本体１は、たとえばクラフト紙を材料として筒状に形成されてなるものであり、たとえば二層のクラフト紙がたとえば強接着剤にて接着されて強度が高められた構造となっている。
【００２０】筒状の袋本体１の上下開口端部それぞれが折り曲げて上下の両底面２、３がそれぞれ形成される。袋本体１の上下に底面２、３を形成するに際して、一方の底面２に、挿入口４ａが開口したバルブ４を設ける。両底面２、３それぞれには、底面２、３の短手方向の幅Ｄよりも広い幅Ｗを有する長方形状の補強紙５、５が貼着される。この際に、補強紙５、５は、袋本体１の側面１３に延設して貼着される。そして、バルブ４の挿入口４ａに図示しない吹込管（ノズル）を挿入して、吹込管を介して挿入口４ａより袋本体１内に、小麦粉やセメント等の粉体が充填される。粉体が充填された後は、たとえばホットメルトの加熱によって挿入口４ａが封緘される。
【００２１】図２、図３は、両底貼り袋の製造工程および構造を説明する図である。
【００２２】袋本体１の上下開口端部は同様の構造であるため、上開口端部を示す。
【００２３】図２（ａ）に示すように、袋本体１の開口端部に第一折筋６が形成され、図中左右両側が内方に折曲げられて、左右それぞれに、第一折筋６の端点を頂点とする三角形状の折込部７、８が形成される。
【００２４】つぎに図２（ｂ）に示すように、三角形状の折込部７に重なるように長方形状のバルブ紙４ｂの図中上下両側端部４ｃ、４ｄが貼着される。これにより挿入口４ａが開口し袋本体１内に粉体を充填可能なバルブ４が形成される。
【００２５】つぎに図２（ｃ）に示すように、袋本体１の端部の図中の上下に図中左右方向に延びる第二折筋９、１０が形成され、図中上下両側が第二折筋９、１０を折曲線として内方に折り曲げられる。
【００２６】これにより図３（ａ）に示すように、台形状の折込部１１、１２が形成される。これら折込部１１、１２を交互に折重ね、折込部１１、１２同士が重ね合う面および折込部１１、１２とバルブ紙４ｂとが重ね合う面が貼着される。これにより袋本体１の底面２が形成される。同様にして他方の底面３が形成される。なお底面３には、バルブ４は設けられていない。
【００２７】底面２は、第二折筋９、１０を長辺とし、第二折筋９、１０の端点同士を結ぶ線分を短辺２ａ、２ｂとする長方形状に形成される。
【００２８】つぎに、図３（ｂ）に示すように、底面２の短手方向の幅Ｄよりも広い幅Ｗを有する長方形状の補強紙５が用意され、この補強紙５が、底面２に貼着される。この際に、補強紙５は、袋本体１の側面１３に延設して貼着される。補強紙５の長手方向の長さＬは、底面２の長さと同等かやや短く、貼り付けられた際に補強紙５の図中左右両端５ａ、５ｂが底面２の左右両端２ａ、２ｂと同じかこれを左右外方に超えない長さであることが望ましい。
【００２９】補強紙５が袋本体１の側面１３に延設して貼着される幅Ｗａは、１０ｍｍ〜２５ｍｍの幅であることが望ましい。
【００３０】図３（ｃ）は、補強紙５が、袋本体１の側面１３に延設して貼着された状態を示している。補強紙５の図中右側は、折込部１１、１２および折込部８に貼着される。しかし補強紙５の図中左側の端部５ｃは、バルブ４の挿入口４ａの開口を確保するために、折込部１１、１２および折込部７並びにバルブ紙４ｂに貼着されず、ホットメルト１４が塗布される。
【００３１】同様にして、同様の補強紙５が底面３に貼着され、補強紙５は、底面３から袋本体１の側面１３に延設して貼着されることになる。なお底面３には、バルブ４は設けられていないため、ホットメルト１４を塗布することなく補強紙５の図中左側端部５ｃは、折込部１１、１２および折込部７に貼着されることなる。
【００３２】以上のようにして実施例の両底貼り袋が製造される。
【００３３】そして、図１に戻り、両底貼り袋のバルブ４の挿入口４ａに、図示しない吹込管（ノズル）が挿入されて、吹込管を介して挿入口４ａより袋本体１内に粉体が充填する。粉体が充填された後は、たとえばホットメルト１４の箇所５ｃ（図３（ｃ））を、たとえばヒータによって加熱することで溶かして折込部１１、１２および折込部７並びにバルブ紙４ｂに接着して挿入口４ａが封緘される。
【００３４】図４は、実施例の両底貼り袋に粉体の内容物が充填された状態を示している。本実施例によれば、底面２、３の短手方向の幅Ｄよりも広い幅Ｗを有する長方形状の補強紙５が、底面２、３から袋本体１の側面に延設して貼着されているため、両底貼り袋の両底面２、３の端部における強度が高められ、破袋の発生が抑制されるという顕著な効果が得られる。なお、補強紙５の形状は必ずしも厳密な長方形状でなくてもよく、略長形状であってもよい。
【００３５】図５、図６は、他の実施例の両底貼り袋を示す。
【００３６】図５（ａ）、（ｂ）は、図２（ｂ）、図３（ｃ）に対応する他の実施例の両底貼り袋の一部工程を示している。
【００３７】この両底貼り袋では、図５（ａ）に示すように、チューブ状に形成した円筒形状のバルブ筒２０ｂが用意され、三角形状の折込部７に重なるようにバルブ筒２０ｂの片面が貼着される。これにより挿入口２０ａが開口し袋本体１内に粉体を充填可能なバルブ２０が形成される。
【００３８】そして、図５（ｂ）に示すように、補強紙５の図中右側が、折込部１１、１２および折込部８に貼着されるとともに、補強紙５の図中左側が、折込部１１、１２およバルブ筒２０ｂの表面に貼着され、バルブ２０の挿入口２０ａの開口が確保される。
【００３９】図６（ａ）、（ｂ）は、図２（ｂ）、図３（ｃ）に対応する更に他の実施例の両底貼り袋の一部工程を示している。
【００４０】この両底貼り袋では、図６（ａ）に示すように、内容物の漏れを防止するための漏れ防止紙片１５が貼着されてから、図２（ｂ）と同様のバルブ紙４ｂがその上に貼着され、さらにその上に強度を確保するために内補強紙１６が貼着される。
【００４１】そして図６（ｂ）に示すように、図３（ｃ）と同様に補強紙５の図中右側が、折込部１１、１２および折込部８に貼着されるとともに、補強紙５の図中左側の端部５ｃが、バルブ４の挿入口４ａの開口を確保するために、折込部１１、１２および折込部７並びにバルブ紙４ｂに貼着されることなく、ホットメルト１４が塗布される。
【００４２】図５、図６に示す他の実施例においても、両底貼り袋の両底面２、３の端部における強度が高められ、破袋の発生が抑制されるという顕著な効果が得られる。
【００４３】以上は、両底貼り袋を例にとり、底面におけるバルブの種類等が異なる各実施例について説明した。しかし、本考案は、これら各実施例の構成の両底貼り袋に限定されることなく任意の構成の両底貼り袋にも適用することができる。
【００４４】また、両底貼り袋に限定されることなく、片底貼り袋にも当然に本考案を適用することができる。
【００４５】すなわち、筒状の袋本体１の下開口端部を折り曲げて形成した底面３に、本考案の補強紙５を、袋本体１の側面１３に延設して貼着して、底面３を、バルブを設けることなく密封状態にするとともに、袋本体１の上開口端部を開口したままとし、その上開口部に真上から内容物を落下させて充填を行い、その後、上開口部をミシン掛け、オーバーテープ等にて封緘するという片底貼り袋も本考案の範囲である。
【符号の説明】
【００４６】１  袋本体２、３  底面５  補強紙
【図１】
0003188561.tif 000003
【図２】
0003188561.tif 000004
【図３】
0003188561.tif 000005
【図４】
0003188561.tif 000006
【図５】
0003188561.tif 000007
【図６】
0003188561.tif 000008
【図７】
0003188561.tif 000009
【図８】
0003188561.tif 000010